(57)【要約】【課題】包装形態がラミネート包装と小袋包装のいずれであっても、封入された薬剤を床に落としたり撒き散らすことなく、片手で簡単に開封可能にし、また包装薬剤を収納可能にすることを課題とする。【解決手段】略凹状に成形して上部両側にセット面を設けた立方体の上部をた基台とこの基台上部を覆う大きさの方形の蓋との対応する一辺を係着して開閉可能にし、かつ上記基台の両側セット面と蓋との接触する部分に、閉蓋時において、一方に小袋包装の切断機構を、他方にラミネート包装の押し出し機構を構成可能にして成る。【選択図】  図１
2004182321.tif 000002
【特許請求の範囲】
【請求項１】
略凹状に成形して上部両側にセット面を設けた立方体の基台とこの基台上部を覆う大きさの方形の蓋との対応する一辺を係着して開閉可能にし、かつ上記基台の両側セット面と蓋との接触する部分に、閉蓋時において、一方に小袋包装の切断機構を、他方にラミネート包装の押し出し機構を構成可能にしたことを特徴とする包装薬剤の開封具。
【請求項２】
切断機構を、蓋に平行に配した切刃とこの両側のパッドと、上記切刃及びパッドがそれぞれ納まる三列の雌部を有する一方の基台セット面とで構成し、押し出し機構を、蓋に突設した突子と、上記突子が緩挿し、かつ錠剤・カプセル剤が通過し得る大きさ・形状の落し孔を有する他方の基台セット面とで構成した請求項１に記載の包装薬剤の開封具。
【請求項３】
パッドが弾性体からなる請求項２に記載の包装薬剤の開封具。
【請求項４】
弾性体が軟質ゴム又は発泡ゴムである請求項３に記載の包装薬剤の開封具。
【請求項５】
突子が円形又は略楕円形であり、落し孔が円形と略楕円形とを組み合わした形状である請求項２に記載の包装薬剤の開封具。
【請求項６】
基台の凹所底部に収納室を設けた請求項１に記載の包装薬剤の開封具。
【発明の詳細な説明】
【０００１】
【発明の属する技術分野】
本発明は、主として経口薬剤がカプセルや小袋に封入された包装（以下、単に包装薬剤という）を開封するのに用いる開封具に関する。
【０００２】
【従来の技術】
包装薬剤には、成形プラスチックフィルムとアルミ箔を含むラムネートフィルムとをヒートシールして錠剤・カプセル剤を封入したもの（以下、ラミネート包装という）と、粉薬を紙製小袋に封入したもの（以下、小袋包装という）との二種類の包装形態があり、一般に、この種包装薬剤は、通常、ミシン目を介して二個以上連設されている。このため、封入された薬剤を服用するときには、ミシン目で切り離して、ラミネート包装や小袋包装を開封するのに、両手を用いなければならなかった。
【０００３】
従来、ラミネート包装については、錠剤・カプセル剤取出し器具が提案されている（特許文献１参照）。
【０００４】
【特許文献１】
特開２００２−１０２３１２号公報（第３−４頁、第５、６図）
【０００５】
しかし、ラミネート包装と小袋包装の両方を開封する器具はなかった。このため、小袋包装の開封は、両手で小袋を引き裂くか、はさみを用いて小袋の端を切断しなければならず、手や指先が不自由な人や片手に機能障害のある人にとって、極めて困難であるばかりか、粉薬を撒き散らすことがあった。
【０００６】
【発明が解決しようとする課題】
本発明は、従来技術に鑑みてなしたもので、包装形態がラミネート包装と小袋包装のいずれであっても、封入された薬剤を床に落としたり撒き散らすことなく片手で簡単に開封可能にし、また包装薬剤を収納可能にすることを課題とする。
【０００７】
【課題を解決するための手段】
本発明に係る包装薬剤の開封具は、略凹状に成形して上部両側にセット面を設けた立方体の基台とこの基台上部を覆う大きさの方形の蓋とを、対応する一辺を係着して開閉可能にし、かつ上記基台の両側セット面と蓋との接触する部分に、閉蓋時において、一方に小袋包装の切断機構を、他方にラミネート包装の押し出し機構を構成可能にして成る（請求項１）。
より具体的には、切断機構を、蓋に平行に配した切刃とこの両側のパッドと、上記切刃及びパッドがそれぞれ納まる三列の雌部を有する一方の基台セット面とで構成し、押し出し機構を、蓋に突設した突子と、上記突子が緩挿し、かつ錠剤・カプセル剤が通過し得る大きさ・形状の落し孔を有する他方の基台セット面とで構成して成る（請求項２）。
【０００８】
この手段によるときは、蓋を開閉可能にし、かつ切断機構と押し出し機構とを備えているから、蓋を閉めて押すだけで小袋包装とラミネート包装の両方を開封することができる。すなわち、小袋包装は、その端部を雌部のセット面に置いて蓋を閉めて押圧すると、切断箇所の両側部分がパッドと左右の雌部とによって保持されながら、中央の雌部内に緩挿した切刃によって切断、開封される。また、ラミネート包装は、薬剤封入部分を落し孔のセット面に置いて蓋を閉めて押圧すると、落し孔に緩挿した突子によって、錠剤・カプセル剤が下方に押されて、ラミネートフィルムが破れて開封される。
【０００９】
この発明において、パッドは、小袋包装の切断箇所の両側部分を確固に保持する点を考慮すると、弾性体からなる構成（請求項３）が好適であり、弾性体としては、軟質ゴム又は発泡ゴムで構成（請求項４）するのが好ましい。
【００１０】
また、突子が円形又は略楕円形であり、落し孔が円形と略楕円形とを組み合わした形状である構成（請求項５）にするのが好ましい。ここで、略楕円形とは、扁平な楕円形やトラック形を意味する。このようにすると、大きさ・形状の異なる錠剤・カプセル剤のラミネート包装に適用することができる。
【００１１】
さらに、基台の凹所底部には、収納室を設けた構成（請求項６）にすることもある。このようにすると、常時服用する包装薬剤を収納室に収納して保管したり、携帯することができる。
【００１２】
【発明の実施の形態】
以下、本発明の一実施の形態を図面に基づいて説明する。
【００１３】
図１に示すように、包装薬剤の開封具は、方形の蓋Ａと、この蓋Ａと略同一大きさの上部の両側にセット面Ｂａ，Ｂｂを有するように断面略凹状に成形された立方体の基台Ｂとを、対応する一辺を二本のピンＰ，Ｐで以て係着して開閉可能にして成る。
【００１４】
蓋Ａの内面一端部分には、側辺と平行に切刃１を突設し、この切刃１の両側に少許の間隔をおいてパッド２、２を並列して突設する。また、上記基台Ｂの一方のセット面Ｂａには、蓋Ａの切刃１及びパッド２、２がそれぞれ納まる雌部となる切刃用溝４とパッド用溝５を形成する。
よって、蓋Ａの切刃１及びパッド２と、基台Ｂの切刃用溝４及びパッド用溝５を有するセット面Ｂａとで以て、小袋包装の切断機構を構成する。
【００１５】
また、蓋Ａの内面他端部分には、その略中央に突子３を突設する。また、基台Ｂの他方のセット面Ｂｂには、蓋Ａの突子３が緩挿し、かつ錠剤・カプセル剤の通過し得る大きさ・形状の上下に貫通する落し孔６を形成する。
よって、蓋Ａの突子３と、基台Ｂの落し孔６を有するセット面Ｂｂとで以て、ラミネート包装の押し出し機構を構成する。
【００１６】
基台Ｂのセット面Ｂｂの一端には段部７を形成する。このようにすると、この段部７は、錠剤・カプセル剤が二列にミシン目を介さずに個別に封入されたラミネート包装を開封するとき、開封しない方のラミネート包装の逃げにすることができる。
【００１７】
基台Ｂの中央部分の凹所８は包装薬剤の薬剤封入部分の逃げであり、この凹所８の底部に収納室９を形成すると、未使用の包装薬剤を収納しておくことができる。この場合、包装薬剤の出し入れは、収納室９の一側に開口部１０を形成するか、凹所８の底板８ａを凹所側壁に設けた嵌挿溝（図示省略）にスライド可能に取着することにより達成することができる。
【００１８】
次に、上記実施の形態の包装薬剤の開封具の使用について説明する。
【００１９】
まず、小袋包装Ｘの場合、図２に示すように、小袋包装Ｘの薬剤封入部分を基台Ｂの凹所８に置いて、その端部をセット面Ｂａにセットした後、蓋Ａを閉じて押圧する。すると、パッド２、２とパッド用溝５、５とが緩挿して、小袋包装の切断箇所の両側部分が保持される。よって、小袋包装Ｘは、移動することなく、切刃１の切刃用溝４への緩挿によって切断され、開封される。
【００２０】
また、二列のラミネート包装Ｙの場合、図３に示すように、一方の薬剤封入部分を段部７の上方に位置して、他方の薬剤封入部分を落し孔６のセット面Ｂｂにセットした後、蓋Ａをと閉じて押圧する。すると、蓋Ａの突子３が落し孔６の上方部分に緩挿する。よって、ラミネート包装は、下方に押された錠剤・カプセル剤によって破れて開封される。落し孔６内に落下した錠剤・カプセル剤は、基台Ｂを動かすことにより服用することができる。
【００２１】
ところで、上記実施の形態において、蓋Ａ及び基台Ｂの材質としては、特に限定されるものではないが、透明性・成形性を考慮すると、ポリプロピレン樹脂、ポリエチレン樹脂、アクリル樹脂、塩化ビニル樹脂、ナイロン樹脂等の合成樹脂が好適である。
また、蓋Ａの形状としては、方形の板状物の一辺に蓋片Ａａを有する断面Ｌ字形に成形したものを図示したが、他の二片にも蓋片を設けて、基台Ｂに遊嵌する構造にすることもできる。
【００２２】
切刃１は、材質として、ステンレス鋼、炭素鋼又は合金鋼を用いると、良好な切断を長く維持することができる。刃先の形状は、平坦なものを図示したが、線状、鋸歯状等任意の形状を選択することができる。
【００２３】
パッド２は、弾性又は可撓性を有するものであればよいが、切断時の押圧・保持を考慮すると、弾性体で形成するのが好ましい。弾性体の材質としては、特に限定されるものではないが、天然ゴム、スチレンブタジエンゴム、クロロプレンゴム、アクリトニトリルブタジエン、フッ素ゴム等から選択した軟質ゴム又は発泡ゴムが開封時の保持力の点で好適である。
また、パッド２は、その大きさを切刃１と略同一の高さと長さにしたが、高さを切刃１より少し高くすると、切断時の押圧・保持をより一層向上できると共に、切刃への手・指の接触を防止することができる。
【００２４】
上記パッド２が納まる雌部としてパッド用溝５を図示したが、これに代えて切欠きにすることもある。
【００２５】
蓋Ａと基台Ｂとは、長辺側で係着したが、短辺側で係着することもあり、その係着手段としては、二本のピンＰ、Ｐを図示したが、これに限定されるものではなく、蝶番、凹凸部による嵌合構造等任意の手段を採用することができる。
【００２６】
【実施例】
本発明の開封具の実施例を以下に示す。
【００２７】
蓋の材質：合成樹脂（例：ポリプロピレン樹脂）
蓋の形状：縦７３ｍｍ×横９５ｍｍ×厚み５ｍｍ、方形
切刃の材質：金属（例：ステンレス鋼）
切刃の形状：長さ６３ｍｍ、高さ７ｍｍ、刃先平坦
パッドの材質：発泡スポンジ
パッドの形状：長さ６３ｍｍ、高さ８ｍｍ、巾４．５ｍｍ
突子の材質：合成樹脂
突子の形状：縦１８ｍｍ、横５ｍｍ、高さ５ｍｍ、略トラック形状
基台の材質：合成樹脂（例：ポリプロピレン樹脂）
基台の形状：縦６８ｍｍ×横９５ｍｍ×厚み２８ｍｍ、立方体
セット面の巾：２０ｍｍ
凹所の巾：５５ｍｍ
切刃用溝の巾：１．０ｍｍ
パッド用溝の巾：５ｍｍ
落し孔の形状：半径７ｍｍの円形と長径２０ｍｍのトラック形との組合せ
【００２８】
【発明の効果】
本発明によるときは、蓋と本体とを開閉可能にし、かつ切断機構と押し出し機構を構成可能にしたから、小袋包装とラミネート包装の二種類の包装形態の包装薬剤を、片手で簡単な操作で容易に開封することができる。
また、パッドが雌部内に納まるから、小袋の端部を押圧・保持して移動することなく容易に切断して開封することができる。収納室を設けたときには、包装薬剤を保管したり、携帯することができる。
さらに、本発明の開封具は、大きさを適宜変更することにより、包装薬剤だでなく、粉末状、粒状、小片状等の食品包装の開封にも適用することができる。
【図面の簡単な説明】
【図１】本発明の一実施の形態を示す斜視図である。
【図２】小袋包装の使用状態を示す要部断面図である。
【図３】ラミネート包装の使用状態を示す断面図である。
【符号の説明】
１・・・切刃
２・・・パッド
３・・・突子
４・・・切刃刃用溝
５・・・パッド用溝
６・・・落し孔
７・・・段部
８・・・凹所
８ａ・・底板
９・・・収納室
１０・・・開口部
Ａ・・・蓋
Ａａ・・蓋片
Ｂ・・・基台
Ｂａ，Ｂｂ・・・セット面
Ｐ・・・ピン
Ｘ・・・小袋包装
Ｙ・・・ラミネート包装
【図１】
2004182321.tif 000003
【図２】
2004182321.tif 000004
【図３】
2004182321.tif 000005